(57)【要約】【課題】スキャナなどの画像入力手段から入力された画像データを利用して、ユーザに十分なサービスを提供する。【解決手段】この情報処理装置１は、スキャナなどの画像入力手段１１と、所定のデータを蓄積する蓄積手段１２と、画像入力手段１１から入力された画像データを複数のデータ形式で蓄積手段１２に管理保存する管理手段１３とを有している。ここで、管理手段１３は、さらに、蓄積手段１２に蓄積される前記複数のデータ形式のデータを１つのファイルとして管理するようになっている。【選択図】　　　図１
2004102412.tif 000002
【特許請求の範囲】
【請求項１】
画像入力手段と、所定のデータを蓄積する蓄積手段と、前記画像入力手段から入力された画像データを複数のデータ形式で前記蓄積手段に管理保存する管理手段とを有していることを特徴とする情報処理装置。
【請求項２】
請求項１記載の情報処理装置において、前記管理手段は、前記蓄積手段に蓄積される前記複数のデータ形式のデータを１つのファイルとして管理することを特徴とする情報処理装置。
【請求項３】
請求項１または請求項２記載の情報処理装置において、前記管理手段は、画像入力手段から入力されたＯＣＲ元画像データに対してＯＣＲ処理を施す機能を有し、画像データを複数のデータ形式で前記蓄積手段に管理保存する際、少なくとも１つのデータ形式として、ＯＣＲ元画像データに対してＯＣＲ処理を施した結果のＯＣＲ結果情報を保存することを特徴とする情報処理装置。
【請求項４】
請求項３記載の情報処理装置において、前記蓄積手段に蓄積されているＯＣＲ結果情報の全文検索インデックスを行なう全文検索インデックス手段がさらに設けられていることを特徴とする情報処理装置。
【請求項５】
画像入力手段と、所定のデータを蓄積する蓄積手段と、ＯＣＲ処理機能を備えている管理手段と、出力手段とを有し、前記管理手段は、前記画像入力手段からＯＣＲ元画像データが入力されるときに、該ＯＣＲ元画像データに対してＯＣＲ処理を施した結果のＯＣＲ結果情報を、前記蓄積手段に保存するか、あるいは、前記出力手段から出力させる機能を有していることを特徴とする情報処理装置。
【請求項６】
請求項５記載の情報処理装置において、前記出力手段は、前記蓄積手段にＯＣＲ結果情報が保存されているときに、蓄積手段に保存されているＯＣＲ結果情報を出力する機能を有していることを特徴とする情報処理装置。
【請求項７】
請求項５または請求項６記載の情報処理装置において、前記蓄積手段には、所定のデータが複数のデータ形式で蓄積可能となっていることを特徴とする情報処理装置。
【請求項８】
請求項７記載の情報処理装置において、前記管理手段は、前記蓄積手段に所定のデータが複数のデータ形式で蓄積されるとき、前記複数のデータ形式のデータを１つのファイルとして管理するようになっていることを特徴とする情報処理装置。
【請求項９】
請求項１乃至請求項８のいずれか一項に記載の情報処理装置において、前記画像入力手段には、スキャナおよび／またはリムーバブルメディアが用いられることを特徴とする情報処理装置。
【請求項１０】
請求項１乃至請求項９のいずれか一項に記載の情報処理装置において、該情報処理装置は、画像形成装置であることを特徴とする情報処理装置。
【請求項１１】
画像入力手段から入力された画像データを複数のデータ形式で管理保存することを特徴とする画像管理方法。
【請求項１２】
請求項１１記載の画像管理方法において、前記複数のデータ形式のデータを１つのファイルとして管理することを特徴とする画像管理方法。
【請求項１３】
画像入力手段からＯＣＲ元画像データが入力されるときに、該ＯＣＲ元画像データに対してＯＣＲ処理を施した結果のＯＣＲ結果情報を、蓄積手段に保存するか、あるいは、出力手段から出力させることを特徴とする画像管理方法。
【請求項１４】
画像入力手段から入力された画像データを複数のデータ形式で管理保存する処理をコンピュータに実現させるためのプログラム。
【請求項１５】
画像入力手段からＯＣＲ元画像データが入力されるときに、該ＯＣＲ元画像データに対してＯＣＲ処理を施した結果のＯＣＲ結果情報を、蓄積手段に保存するか、あるいは、出力手段から出力させる処理をコンピュータに実現させるためのプログラム。
【請求項１６】
画像入力手段から入力された画像データを複数のデータ形式で管理保存する処理をコンピュータに実行させるためのプログラムを記録したコンピュータ読み取り可能な記録媒体。
【請求項１７】
画像入力手段からＯＣＲ元画像データが入力されるときに、該ＯＣＲ元画像データに対してＯＣＲ処理を施した結果のＯＣＲ結果情報を、蓄積手段に保存するか、あるいは、出力手段から出力させる処理をコンピュータに実行させるためのプログラムを記録したコンピュータ読み取り可能な記録媒体。
【発明の詳細な説明】
【０００１】
【発明の属する技術分野】
本発明は、情報処理装置および画像管理方法およびプログラムおよび記録媒体に関する。
【０００２】
【従来の技術】
従来、スキャナから入力された画像データを蓄積する機能を有している情報処理装置において、スキャナから入力された画像データ（元画像データ（オリジナル画像データ））は、蓄積手段としてのハードディスクに、オリジナル画像データのままのデータ形式でしか蓄積されなかった。
【０００３】
このため、ハードディスクに蓄積されているデータを利用して提供されるサービスは、非常に限られたものだけであり、ユーザにとって満足のいくものではなかった。
【０００４】
【発明が解決しようとする課題】
本発明は、スキャナなどの画像入力手段から入力された画像データを利用して、ユーザに十分なサービスを提供することの可能な情報処理装置および画像管理方法およびプログラムおよび記録媒体を提供することを目的としている。
【０００５】
【課題を解決するための手段】
上記目的を達成するために、請求項１記載の発明は、画像入力手段と、所定のデータを蓄積する蓄積手段と、前記画像入力手段から入力された画像データを複数のデータ形式で前記蓄積手段に管理保存する管理手段とを有していることを特徴としている。
【０００６】
また、請求項２記載の発明は、請求項１記載の情報処理装置において、前記管理手段は、前記蓄積手段に蓄積される前記複数のデータ形式のデータを１つのファイルとして管理することを特徴としている。
【０００７】
また、請求項３記載の発明は、請求項１または請求項２記載の情報処理装置において、前記管理手段は、画像入力手段から入力されたＯＣＲ元画像データに対してＯＣＲ処理を施す機能を有し、画像データを複数のデータ形式で前記蓄積手段に管理保存する際、少なくとも１つのデータ形式として、ＯＣＲ元画像データに対してＯＣＲ処理を施した結果のＯＣＲ結果情報を保存することを特徴としている。
【０００８】
また、請求項４記載の発明は、請求項３記載の情報処理装置において、前記蓄積手段に蓄積されているＯＣＲ結果情報の全文検索インデックスを行なう全文検索インデックス手段がさらに設けられていることを特徴としている。
【０００９】
また、請求項５記載の発明は、画像入力手段と、所定のデータを蓄積する蓄積手段と、ＯＣＲ処理機能を備えている管理手段と、出力手段とを有し、前記管理手段は、前記画像入力手段からＯＣＲ元画像データが入力されるときに、該ＯＣＲ元画像データに対してＯＣＲ処理を施した結果のＯＣＲ結果情報を、前記蓄積手段に保存するか、あるいは、前記出力手段から出力させる機能を有していることを特徴としている。
【００１０】
また、請求項６記載の発明は、請求項５記載の情報処理装置において、前記出力手段は、前記蓄積手段にＯＣＲ結果情報が保存されているときに、蓄積手段に保存されているＯＣＲ結果情報を出力する機能を有していることを特徴としている。
【００１１】
また、請求項７記載の発明は、請求項５または請求項６記載の情報処理装置において、前記蓄積手段には、所定のデータが複数のデータ形式で蓄積可能となっていることを特徴としている。
【００１２】
また、請求項８記載の発明は、請求項７記載の情報処理装置において、前記管理手段は、前記蓄積手段に所定のデータが複数のデータ形式で蓄積されるとき、前記複数のデータ形式のデータを１つのファイルとして管理するようになっていることを特徴としている。
【００１３】
また、請求項９記載の発明は、請求項１乃至請求項８のいずれか一項に記載の情報処理装置において、前記画像入力手段には、スキャナおよび／またはリムーバブルメディアが用いられることを特徴としている。
【００１４】
また、請求項１０記載の発明は、請求項１乃至請求項９のいずれか一項に記載の情報処理装置において、該情報処理装置は、画像形成装置であることを特徴としている。
【００１５】
また、請求項１１記載の発明は、画像入力手段から入力された画像データを複数のデータ形式で管理保存することを特徴としている。
【００１６】
また、請求項１２記載の発明は、請求項１１記載の画像管理方法において、前記複数のデータ形式のデータを１つのファイルとして管理することを特徴としている。
【００１７】
また、請求項１３記載の発明は、画像入力手段からＯＣＲ元画像データが入力されるときに、該ＯＣＲ元画像データに対してＯＣＲ処理を施した結果のＯＣＲ結果情報を、蓄積手段に保存するか、あるいは、出力手段から出力させることを特徴としている。
【００１８】
また、請求項１４記載の発明は、画像入力手段から入力された画像データを複数のデータ形式で管理保存する処理をコンピュータに実現させるためのプログラムである。
【００１９】
また、請求項１５記載の発明は、画像入力手段からＯＣＲ元画像データが入力されるときに、該ＯＣＲ元画像データに対してＯＣＲ処理を施した結果のＯＣＲ結果情報を、蓄積手段に保存するか、あるいは、出力手段から出力させる処理をコンピュータに実現させるためのプログラムである。
【００２０】
また、請求項１６記載の発明は、画像入力手段から入力された画像データを複数のデータ形式で管理保存する処理をコンピュータに実行させるためのプログラムを記録したコンピュータ読み取り可能な記録媒体である。
【００２１】
また、請求項１７記載の発明は、画像入力手段からＯＣＲ元画像データが入力されるときに、該ＯＣＲ元画像データに対してＯＣＲ処理を施した結果のＯＣＲ結果情報を、蓄積手段に保存するか、あるいは、出力手段から出力させる処理をコンピュータに実行させるためのプログラムを記録したコンピュータ読み取り可能な記録媒体である。
【００２２】
【発明の実施の形態】
以下、本発明の実施形態を図面に基づいて説明する。
【００２３】
（第１の実施形態）
図１は本発明に係る情報処理装置の第１の実施形態の構成例を示す図である。図１を参照すると、この情報処理装置１は、スキャナなどの画像入力手段１１と、所定のデータを蓄積する蓄積手段１２と、画像入力手段１１から入力された画像データを複数のデータ形式で蓄積手段１２に管理保存する管理手段１３とを有している。
【００２４】
ここで、管理手段１３は、さらに、蓄積手段１２に蓄積される前記複数のデータ形式のデータを１つのファイルとして管理するようになっている。
【００２５】
また、この情報処理装置１において、管理手段１３は、画像入力手段１１から入力されたＯＣＲ元画像データに対してＯＣＲ処理を施す機能を有し、画像データを複数のデータ形式で蓄積手段１２に管理保存する際、少なくとも１つのデータ形式として、ＯＣＲ元画像データに対してＯＣＲ処理を施した結果のＯＣＲ結果情報を保存するようになっている。
【００２６】
また、図１の情報処理装置１では、蓄積手段１２に蓄積されているＯＣＲ結果情報の全文検索インデックスを行なう全文検索インデックス手段１４がさらに設けられている。
【００２７】
図２は本発明の第１の実施形態の情報処理装置（図１の情報処理装置１）の具体例を示す図である。なお、図２の例では、画像入力手段１１には、スキャナが用いられ、また、所定のデータを蓄積する蓄積手段１２として、ハードディスク（ＨＤＤ）が用いられている。
【００２８】
図２のような構成では、スキャナ１１から入力された画像データを、蓄積手段１２としてのハードディスクに、ＪＰＥＧのデータ形式，ＴＩＦＦのデータ形式，ＯＣＲ元画像（ＴＩＦＦ）のデータ形式などの複数のデータ形式で保存することができる。さらに、ＯＣＲ元画像に対してＯＣＲ処理を施した結果のＸＭＬ（ＯＣＲ結果情報）のデータ形式やＰＤＦのデータ形式も、必要であれば、同時に保存することができる。
【００２９】
さらに、管理手段１３は、ハードディスク（ＨＤＤ）に上記のように保存された複数のデータ形式のデータ（ＪＰＥＧ，ＴＩＦＦ，ＴＩＦＦ（ＯＣＲ元画像），ＸＭＬ（ＯＣＲ結果情報），ＰＤＦ）を１つのファイルとして管理するようになっている。
【００３０】
これにより、ユーザは、所望のデータ形式のデータをハードディスク（ＨＤＤ）１２から容易に検索して利用することが可能となる。
【００３１】
なお、図２の例では、画像入力手段１１に、スキャナを用いたが、スキャナのかわりに、または、スキャナとともに、リムーバブルメディアなどを用いることもできる。
【００３２】
図３は、図２の情報処理装置において、蓄積手段１２としてのハードディスク（ＨＤＤ）に蓄積されているＯＣＲ結果情報の全文検索インデックスを行なう全文検索インデックス手段１４がさらに設けられている構成を示す図であり、図３の構成では、全文検索インデックス手段１４が設けられていることによって、ＷｅｂブラウザによるＯＣＲ結果情報の全文検索が可能となる。
【００３３】
（第２の実施形態）
図４は本発明に係る情報処理装置の第２の実施形態の構成例を示す図である。なお、図４において、図１と対応する箇所には同じ符号を付している。
【００３４】
図４を参照すると、第２の実施形態の情報処理装置２は、画像入力手段２１と、所定のデータを蓄積する蓄積手段１２と、ＯＣＲ処理機能を備えている管理手段２３と、出力手段２５とを有し、管理手段２３は、画像入力手段２１からＯＣＲ元画像データが入力されるときに、該ＯＣＲ元画像データに対してＯＣＲ処理を施した結果のＯＣＲ結果情報を、蓄積手段１２に保存するか、あるいは、出力手段２５から出力させる機能を有している。
【００３５】
また、出力手段２５は、蓄積手段１２にＯＣＲ結果情報が保存されているときに、蓄積手段１２に保存されているＯＣＲ結果情報を出力する機能をさらに有している。
【００３６】
具体的には、出力手段２５としては、この情報処理装置２が、コピー機能，プリンタ機能，ＦＡＸ機能，さらには、ネットワーク機能（ＩＴ機能）を備えた複合機（画像形成装置）として構成されている場合には、ＯＣＲ結果情報を、コピー出力，プリンタ出力，ＦＡＸ送信出力，ネットワーク上へ送信出力することが可能に構成されている。
【００３７】
また、第２の実施形態の情報処理装置２においても、蓄積手段１２には、第１の実施形態と同様に、所定のデータが複数のデータ形式で蓄積されるようになっている。
【００３８】
また、管理手段２３は、蓄積手段１２に所定のデータが複数のデータ形式で蓄積されるとき、複数のデータ形式のデータを１つのファイルとして管理するようになっている。
【００３９】
図５は本発明の第２の実施形態の情報処理装置（図４の情報処理装置２）の具体例を示す図である。
【００４０】
図５の例では、画像入力手段２１は、スキャナとリムーバブルメディア（可搬蓄積メディア）のいずれかを使用可能に構成されている。
【００４１】
また、図５の例では、蓄積手段１２としてハードディスク（ＨＤＤ）が用いられ、また、ＯＣＲ処理機能を備えている管理手段２３として、ＯＣＲ処理部が設けられている。
【００４２】
この場合、図５の例では、スキャナからＯＣＲ元画像が入力されると、管理手段２３は、スキャナから入力されたＯＣＲ元画像データに対してＯＣＲ処理を施した結果のＯＣＲ結果情報を、蓄積手段（ハードディスク（ＨＤＤ））１２に例えばＸＭＬのデータ形式で保存するか、あるいは、出力手段２５からプリンタに出力させたりネットワーク上に送信出力させる。
【００４３】
また、リムーバブルメディアからＯＣＲ元画像が入力されると、管理手段２３は、リムーバブルメディアから入力されたＯＣＲ元画像データに対してＯＣＲ処理を施した結果のＯＣＲ結果情報を、蓄積手段（ハードディスク（ＨＤＤ））１２に例えばＸＭＬのデータ形式で保存するか、あるいは、出力手段２５からプリンタに出力させたりネットワーク上に送信出力させる。
【００４４】
また、出力手段２５は、蓄積手段（ハードディスク（ＨＤＤ））１２にＯＣＲ結果情報が保存されているときに、蓄積手段（ハードディスク（ＨＤＤ））１２に保存されているＯＣＲ結果情報をプリンタやネットワーク上に出力することもできる。
【００４５】
もちろん、出力手段２５からは、ＯＣＲ結果情報のみならず、他のデータをプリンタに出力したり、ネットワーク（ＮＷ）上に出力（送信）することができる。具体的には、ＪＰＥＧ／ＴＩＦＦのデータ形式のデータを出力することもできるし、あるいは、ＰＤＦのデータ形式のデータ（ＯＣＲ結果情報が付加されていないＰＤＦのデータ）のみを出力することもできるし、あるいは、上述したように、ＰＤＦのデータ（ＯＣＲ結果情報が付加されていないＰＤＦのデータ）とＯＣＲ結果情報とからなるデータを出力することもできる。
【００４６】
このように、本発明の第２の実施形態では、画像入力手段２１と、所定のデータを蓄積する蓄積手段１２と、ＯＣＲ処理機能を備えている管理手段２３と、出力手段２５とを有し、前記管理手段２３は、前記画像入力手段２１からＯＣＲ元画像データが入力されるときに、該ＯＣＲ元画像データに対してＯＣＲ処理を施した結果のＯＣＲ結果情報を、前記蓄積手段１２に保存するか、あるいは、前記出力手段２５から出力させる機能を有しているので、スキャナなどの画像入力手段から入力された画像データを利用して、ユーザに十分なサービスを提供することができる。
【００４７】
上述したように、第１，第２の実施形態において、情報処理装置１，２の画像入力手段１１，２１には、スキャナおよび／またはリムーバブルメディアを用いることができる。
【００４８】
また、上述したように、第１，第２の実施形態において、蓄積手段１２には、例えばハードディスク（ＨＤＤ）を用いることができる。
【００４９】
また、上述した第１，第２の実施形態において、情報処理装置１，２は、画像形成装置とすることができる。ここで、画像形成装置は、具体的には、例えば、コピー機能，プリンタ機能，ＦＡＸ機能，スキャナ機能，さらにネットワーク機能（ＩＴ機能）などを備えた複合機である。
【００５０】
図６は情報処理装置１または２のハードウェア構成例を示す図である。図６を参照すると、情報処理装置１または２は、ネットワーク機能を備えたものであって、ＣＰＵ３１と、ＣＰＵ３１の制御プログラム等が記憶されているＲＯＭ３２と、ＣＰＵ３１のワークエリア等として使用されるＲＡＭ３３と、ハードディスク３４と、操作部（例えばキーボード／ディスプレイ）３５と、例えばインターネット回線網と接続され、該回線網よりデータの送受信を行なう送受信部３６とを少なくとも備えている。
【００５１】
本発明の情報処理装置１または２は、具体的には、例えば画像形成装置（より具体的には、例えば、コピー機能，プリンタ機能，ＦＡＸ機能，スキャナ機能，さらにネットワーク機能（ＩＴ機能）などを備えた複合機）であって、情報処理装置１または２がこのような複合機である場合には、情報処理装置１または２には、さらに、コピー機能部３７，プリンタ機能部３８，ＦＡＸ機能部３９，画像入力部（スキャナ機能部）４０などが備わっている。なお、ＦＡＸ機能部３９が備わっているときには、ＦＡＸ回線網と接続され、ＦＡＸ回線網よりデータの送受信を行なう送受信部４１が設けられている。
【００５２】
また、本発明においては、画像入力手段から入力された画像データを複数のデータ形式で管理保存する処理をコンピュータ（情報処理装置１または２のＣＰＵ３１）に実現させるプログラムの形で提供することができる。
【００５３】
また、画像入力手段から入力された画像データを複数のデータ形式で管理保存する処理をコンピュータ（情報処理装置１または２のＣＰＵ３１）に実現させるためのプログラムは、例えばソフトウェアパッケージ（具体的には、ＣＤ−ＲＯＭ等の記録媒体）の形で提供することができる。
【００５４】
また、本発明においては、画像入力手段からＯＣＲ元画像データが入力されるときに、該ＯＣＲ元画像データに対してＯＣＲ処理を施した結果のＯＣＲ結果情報を、蓄積手段に保存するか、あるいは、出力手段から出力させる処理をコンピュータ（情報処理装置２のＣＰＵ３１）に実現させるプログラムの形で提供することができる。
【００５５】
また、画像入力手段からＯＣＲ元画像データが入力されるときに、該ＯＣＲ元画像データに対してＯＣＲ処理を施した結果のＯＣＲ結果情報を、蓄積手段に保存するか、あるいは、出力手段から出力させる処理をコンピュータ（情報処理装置２のＣＰＵ３１）に実現させるためのプログラムは、例えばソフトウェアパッケージ（具体的には、ＣＤ−ＲＯＭ等の記録媒体）の形で提供することができる。
【００５６】
換言すれば、本発明の情報処理装置１または２は、スキャナ，ディスプレイ等を備えた汎用の計算機システムにＣＤ−ＲＯＭ等の記録媒体に記録されたプログラムを読み込ませて、この汎用計算機システムのマイクロプロセッサに処理を実行させる装置構成においても実施することが可能である。この場合、本発明の処理を実行するためのプログラム（すなわち、ハードウェアシステムで用いられるプログラム）は、媒体に記録された状態で提供される。プログラムなどが記録される記録媒体としては、ＣＤ−ＲＯＭに限られるものではなく、ＲＯＭ，ＲＡＭ，フレキシブルディスク，メモリカード等が用いられても良い。媒体に記録されたプログラムは、ハードウェアシステムに組み込まれている記憶装置、例えばハードディスク３４にインストールされ起動することにより、このプログラムを実行して、本発明の処理を実現することができる。このようにＣＤ−ＲＯＭ等の記録媒体でプログラムを提供することも可能であるが、ハードディスクにこのプログラムをインストールすることで本発明の処理を実現することもできる。
【００５７】
【発明の効果】
以上に説明したように、請求項１乃至請求項４，請求項９乃至請求項１２，請求項１４，請求項１６記載の発明によれば、画像入力手段から入力された画像データを複数のデータ形式で管理保存するので、スキャナなどの画像入力手段から入力された画像データを利用して、ユーザに十分なサービスを提供することができる。
【００５８】
また、請求項５乃至請求項１０，請求項１３，請求項１５，請求項１７記載の発明によれば、画像入力手段からＯＣＲ元画像データが入力されるときに、該ＯＣＲ元画像データに対してＯＣＲ処理を施した結果のＯＣＲ結果情報を、蓄積手段に保存するか、あるいは、出力手段から出力させるので、スキャナなどの画像入力手段から入力された画像データを利用して、ユーザに十分なサービスを提供することができる。
【００５９】
例えば、従来はＯＣＲ結果情報だけ見ると文字認識結果に誤りがあってもわからないが、１つのファイルとして管理することにより、例えば元画像とＯＣＲ結果とを重ね合わせて表示することも可能であり、そうすることにより、人間の目で情報処理装置の文字認識結果の誤りを認識することが可能となり、より正しい情報を得ることができる。
【図面の簡単な説明】
【図１】本発明に係る情報処理装置の第１の実施形態の構成例を示す図である。
【図２】第１の実施形態の情報処理装置の具体例を示す図である。
【図３】第１の実施形態の情報処理装置の具体例を示す図である。
【図４】本発明に係る情報処理装置の第２の実施形態の構成例を示す図である。
【図５】第２の実施形態の情報処理装置の具体例を示す図である。
【図６】本発明の情報処理装置のハードウェア構成例を示す図である。
【符号の説明】
１，２　　　　情報処理装置
１１，２１　　　　画像入力手段
１２　　　　蓄積手段
１３，２３　　　　管理手段
１４　　　　全文検索インデックス手段
２５　　　　出力手段
３１　　　　ＣＰＵ
３２　　　　ＲＯＭ
３３　　　　ＲＡＭ
３４　　　　ハードディスク
３５　　　　操作部
３６　　　　送受信部
３７　　　　コピー機能部
３８　　　　プリンタ機能部
３９　　　　ＦＡＸ機能部
４０　　　画像入力部
４１　　　送受信部
【図１】
2004102412.tif 000003
【図２】
2004102412.tif 000004
【図３】
2004102412.tif 000005
【図４】
2004102412.tif 000006
【図５】
2004102412.tif 000007
【図６】
2004102412.tif 000008